(57)【要約】【課題】状態の変化に応じて、赤色・緑色・青色の発光素子に供給される電流のパルス信号のデューティー比を制御して複数の点灯色を切り替えて点灯部に表示する表示装置の輝度および色度を正確に調整することが可能なイルミネーション調整装置を提供する。【解決手段】イルミネーション調整装置２０は、輝度色度測定器２１、輝度色度制御部２２、出力部２３を備えている。輝度色度測定器２１は、生体情報測定装置１０の点灯部１３において表示された各点灯色の光の輝度および色度を測定する。輝度色度制御部２２は、輝度色度測定器２１において測定された輝度および色度の値に基づいて、予め設定された点灯色ごとの輝度および色度になるように、各色の発光素子に供給される電流のパルス信号のデューティー比を算出する。出力部２３は、輝度色度制御部２２において算出されたデューティー比の値を、生体情報測定装置１０に対して出力する。【選択図】図２
2020123451.tif 000002
【特許請求の範囲】
【請求項１】
状態の変化に応じて、赤色・緑色・青色の発光素子に供給される電流のパルス信号のデューティー比を制御して複数の点灯色を切り替えて点灯部に表示する表示装置の調整を行うイルミネーション調整装置であって、
前記表示装置の前記点灯部において表示された各点灯色の光の輝度および色度を測定する測定部と、
前記測定部において測定された前記輝度および前記色度の値に基づいて、予め設定された前記点灯色ごとの前記輝度および前記色度になるように、各色の前記発光素子に供給される電流のパルス信号のデューティー比を算出する輝度・色度制御部と、
前記輝度・色度制御部において算出された前記デューティー比の値を、前記表示装置に対して出力する出力部と、
を備えたイルミネーション調整装置。
【請求項２】
前記出力部から出力された前記デューティー比によって、前記表示装置の前記点灯部に表示された前記点灯色の前記輝度および前記色度を測定して、所定の範囲内の値であるか否かを判定する判定部を、さらに備えた、
請求項１に記載のイルミネーション調整装置。
【請求項３】
前記測定部における測定結果、および前記輝度・色度制御部における算出結果の前記デューティー比の少なくとも一方を記憶する第１記憶部を、さらに備えた、
請求項１または２に記載のイルミネーション調整装置。
【請求項４】
請求項１から３のいずれか１項に記載のイルミネーション調整装置と、
前記イルミネーション調整装置の前記出力部から出力された前記デューティー比の値に基づいて、前記状態の変化に対応する前記点灯色を前記点灯部に表示する前記表示装置と、
を備えたイルミネーション調整システム。
【請求項５】
前記表示装置は、
前記赤色・緑色・青色の発光素子と、
前記各色の前記発光素子に対してそれぞれ供給される電流のパルス信号の前記デューティー比を制御するデューティー比制御部と、
前記状態の変化に応じて異なる点灯色を表示する点灯部と、
を備えた、
請求項４に記載のイルミネーション調整システム。
【請求項６】
前記表示装置は、前記輝度・色度制御部において算出され前記出力部から出力された前記デューティー比を記憶する第２記憶部を、さらに備えた、
請求項５に記載のイルミネーション調整システム。
【請求項７】
前記表示装置は、電池から供給される電流によって駆動される、
請求項５または６に記載のイルミネーション調整システム。
【請求項８】
前記デューティー比制御部は、１周期内において、各色の前記発光素子の点灯時間を切り替えて、所望の前記点灯色を表示させる、
請求項７に記載のイルミネーション調整システム。
【請求項９】
前記表示装置は、生体情報を測定する生体情報測定装置に設けられている、
請求項４から８のいずれか１項に記載のイルミネーション調整システム。
【請求項１０】
前記状態の変化には、生体情報の測定結果が適正範囲であること、および前記適正範囲外であることの変化が含まれる、
請求項９に記載のイルミネーション調整システム。
【請求項１１】
前記生体情報測定装置は、前記生体情報を測定するために使用されるセンサが装着されるセンサ装着部を備えており、
前記点灯部は、前記センサ装着部の近傍に配置されている、
請求項９または１０に記載のイルミネーション調整システム。
【請求項１２】
前記点灯部に表示される点灯色には、赤色、青色、緑色、青緑色、黄色、紫色、白色のうち、少なくとも２つが含まれる、
請求項４から１１のいずれか１項に記載のイルミネーション調整システム。
【請求項１３】
状態の変化に応じて、赤色・緑色・青色の発光素子に供給される電流のパルス信号のデューティー比を制御して複数の点灯色を切り替えて点灯部に表示する表示装置の調整を行うイルミネーション調整方法であって、
前記表示装置の前記点灯部において表示された各点灯色の光の輝度および色度を測定する測定ステップと、
前記測定ステップにおいて測定された前記輝度および前記色度の値に基づいて、予め設定された前記点灯色ごとの前記輝度および前記色度になるように、各色の前記発光素子に供給される電流のパルス信号のデューティー比を算出する算出ステップと、
前記算出ステップにおいて算出された前記デューティー比の値を、前記表示装置に対して出力する出力ステップと、
を備えたイルミネーション調整方法。
【請求項１４】
状態の変化に応じて、赤色・緑色・青色の発光素子に供給される電流のパルス信号のデューティー比を制御して複数の点灯色を切り替えて点灯部に表示する表示装置の調整を行うイルミネーション調整プログラムであって、
前記表示装置の前記点灯部において表示された各点灯色の光の輝度および色度を測定する測定ステップと、
前記測定ステップにおいて測定された前記輝度および前記色度の値に基づいて、予め設定された前記点灯色ごとの前記輝度および前記色度になるように、各色の前記発光素子に供給される電流のパルス信号のデューティー比を算出する算出ステップと、
前記算出ステップにおいて算出された前記デューティー比の値を、前記表示装置に対して出力する出力ステップと、
を備えたイルミネーション調整方法をコンピュータに実行させるイルミネーション調整プログラム。
【発明の詳細な説明】
【技術分野】
【０００１】
本発明は、状態の変化に応じて点灯色を切り替えて表示する表示装置の調整を行うイルミネーション調整装置およびイルミネーション調整方法に関する。
【背景技術】
【０００２】
液晶表示装置等の表示装置には、赤色（Ｒ）・緑色（Ｇ）・青色（Ｂ）の３原色の光を発する発光素子によって構成された光源装置が搭載されている。
例えば、特許文献１には、液晶表示装置等のバックライト装置として使用可能であって、点灯領域に全面において同一の白色度で発光させつつ、低消費電力を実現することが可能なバックライト装置について開示されている。
【先行技術文献】
【特許文献】
【０００３】
【特許文献１】特開２００８−１８１７４９号公報
【発明の概要】
【発明が解決しようとする課題】
【０００４】
しかしながら、上記従来のバックライト装置では、以下に示すような問題点を有している。
すなわち、上記公報に開示されたバックライト装置は、入力された画像信号に基づいて液晶表示パネルの所定の領域に画像を表示する液晶表示装置に搭載されており、発光輝度に応じて決定されたパルス幅のパルス信号を生成し、赤色（Ｒ）・緑色（Ｇ）・青色（Ｂ）の発光素子をオン／オフするスイッチング素子へ供給している。
【０００５】
しかし、上記従来の装置は、液晶表示装置のバックライト装置として用いられているため、点灯色を切り替えることで様々な状況を表示する表示装置のように、複数の点灯色の輝度や色度を正確に表示することについては何ら考慮されていない。
特に、状態の変化に応じて点灯色を切り替える表示装置では、状態の変化を使用者に正確に伝えるために、各点灯色の輝度および色度を正確に制御する必要がある。
【０００６】
本発明の課題は、状態の変化に応じて、赤色・緑色・青色の発光素子に供給される電流のパルス信号のデューティー比を制御して複数の点灯色を切り替えて点灯部に表示する表示装置の輝度および色度を正確に調整することが可能なイルミネーション調整装置およびイルミネーション調整方法、イルミネーション調整プログラムを提供することにある。
【課題を解決するための手段】
【０００７】
第１の発明に係るイルミネーション調整装置は、状態の変化に応じて、赤色・緑色・青色の発光素子に供給される電流のパルス信号のデューティー比を制御して複数の点灯色を切り替えて点灯部に表示する表示装置の調整を行うイルミネーション調整装置であって、測定部と、輝度・色度制御部と、出力部と、を備えている。測定部は、表示装置の点灯部において表示された各点灯色の光の輝度および色度を測定する。輝度・色度制御部は、測定部において測定された輝度および色度の値に基づいて、予め設定された点灯色ごとの輝度および色度になるように、各色の発光素子に供給される電流のパルス信号のデューティー比を算出する。出力部は、輝度・色度制御部において算出されたデューティー比の値を、表示装置に対して出力する。
【０００８】
ここでは、Ｒ（赤色）・Ｇ（緑色）・Ｂ（青色）の３原色の発光素子に対して電流のパルス信号のデューティー比を制御して点灯色を変化させる表示装置の調整を行う装置において、表示装置の点灯部で表示された点灯色の輝度および色度を測定し、その測定結果に基づいて所定の計算式等を用いて、所望の輝度および色度になるように調整するための電流のパルス信号のデューティー比を算出し、これを表示装置へ出力する。
【０００９】
ここで、状態の変化に応じて複数の点灯色を切り替えて表示する表示装置には、例えば、生体情報測定装置等の各種測定装置、携帯電話、スマートフォン等が含まれる。また、表示装置には、点灯色を切り替えて表示する点灯部の他に、画像情報や文字情報等を表示する液晶表示部等が設けられていてもよい。
さらに、状態の変化には、例えば、電源オン、電源オフ、通信中、各種測定完了、測定中、測定結果の評価（良悪等）等が含まれる。
【００１０】
このような点灯色によって様々な状態の変化を通知する表示装置において、特に、生体情報測定装置等では、各色が示す状態の変化を正確に使用者に伝えるために、所望の点灯色（輝度および色度）で表示することが求められる。
本発明によれば、上記の構成により、表示装置の点灯部に表示された点灯色の輝度および色度を測定して、その測定結果に基づいて、その状態の変化に対応する所望の輝度および色度の範囲になるように調整するためのデューティー比を、表示装置へ出力することができる。
この結果、表示装置では、イルミネーション調整装置から受信したデューティー比を用いて再度、点灯色を表示させることで、状態の変化に応じて、点灯部において表示される点灯色の輝度および色度を正確に表示することができる。
【００１１】
第２の発明に係るイルミネーション調整装置は、第１の発明に係るイルミネーション調整装置であって、出力部から出力されたデューティー比によって、表示装置の点灯部に表示された点灯色の輝度および色度を測定して、所定の範囲内の値であるか否かを判定する判定部を、さらに備えている。
【００１２】
ここでは、本イルミネーション調整装置から出力されたデューティー比を用いて表示装置の点灯部に表示された点灯色の輝度および色度を再度、測定し、その結果が所定の範囲内であるか否かを判定する。
ここで、判定部において判定される内容は、例えば、調整後の点灯色の輝度および色度が所定の範囲内にない場合は、仕様を満たさない製品とし、所定の範囲内にある場合には、仕様を満たす製品として判定する。
これにより、調整後の点灯部における点灯色が適切に調整されているか否かを判定することで、点灯部における点灯色を高精度に表示することができる。
【００１３】
第３の発明に係るイルミネーション調整装置は、第１または第２の発明に係るイルミネーション調整装置であって、測定部における測定結果、および輝度・色度制御部における算出結果のデューティー比の少なくとも一方を記憶する第１記憶部を、さらに備えている。
【００１４】
ここでは、イルミネーション調整装置内に設けられた第１記憶部に、測定部における測定結果、および輝度・色度制御部における算出結果のデューティー比の少なくとも一方を記憶させる。
これにより、表示装置の点灯部の点灯色の測定結果、および輝度・色度制御部における算出結果のデューティー比の少なくとも一方を、イルミネーション調整装置内に保存していることで、表示装置ごとのデータを管理することができる。
【００１５】
第４の発明に係るイルミネーション調整システムは、第１から第３の発明のいずれか１つに係るイルミネーション調整装置と、イルミネーション調整装置の出力部から出力されたデューティー比の値に基づいて、状態の変化に対応する点灯色を点灯部に表示する表示装置と、を備えている。
ここでは、上述したイルミネーション調整装置と、該イルミネーション調整装置によって点灯部の点灯色の輝度および色度が調整される表示装置とを含むイルミネーション調整システムを構成する。
これにより、表示装置では、イルミネーション調整装置から受信したデューティー比を用いて再度、点灯色を表示させることで、状態の変化に応じて、点灯部において表示される点灯色の輝度および色度を正確に表示することができる。
【００１６】
第５の発明に係るイルミネーション調整システムは、第４の発明のイルミネーション調整システムであって、表示装置は、赤色・緑色・青色の発光素子と、各色の発光素子に対してそれぞれ供給される電流のパルス信号のデューティー比を制御するデューティー比制御部と、状態の変化に応じて異なる点灯色を表示する点灯部と、を備えている。
【００１７】
ここでは、赤色・緑色・青色の３原色の発光素子と、これらの発光素子に供給される電流のデューティー比を制御するデューティー比制御部と、状況の変化に応じて各色の発光素子を変化させて表示する点灯部とを備えた表示装置を、イルミネーション調整装置によって調整する。
これにより、表示装置は、イルミネーション調整装置から出力されたデューティー比を用いて、赤色・緑色・青色の３原色の発光素子を制御することで、点灯部において表示される点灯色の輝度および色度を高精度に調整することができる。
【００１８】
第６の発明に係るイルミネーション調整システムは、第５の発明に係るイルミネーション調整システムであって、表示装置は、輝度・色度制御部において算出され出力部から出力されたデューティー比を記憶する第２記憶部を、さらに備えている。
ここでは、表示装置内に設けられた第２記憶部に、イルミネーション調整装置の輝度・色度制御部において算出され出力部から出力されたデューティー比を記憶させる。
これにより、イルミネーション調整装置から出力された調整用のデューティー比を、表示装置内に保存していることで、例えば、過去の調整結果（デューティー比）を容易に取り出して参照することができる。
【００１９】
第７の発明に係るイルミネーション調整システムは、第５または第６の発明に係るイルミネーション調整システムであって、表示装置は、電池から供給される電流によって駆動される。
ここでは、表示装置が電池からの電力供給によって駆動される。
ここで、電池には、例えば、繰り返し充電が可能な二次電池、使い捨ての電池が含まれる。
これにより、表示装置は、持ち運びが容易になる。
【００２０】
第８の発明に係るイルミネーション調整システムは、第７の発明のイルミネーション調整システムであって、デューティー比制御部は、１周期内において、各色の発光素子の点灯時間を切り替えて、所望の点灯色を表示させる。
【００２１】
ここでは、上述した電池式駆動の表示装置において、１周期内における各色の発光素子の点灯時間を細かく切り替えて、所望の点灯色の表示を行う。
これにより、一定の電流が３原色の発光素子に供給される電池式の表示装置であっても、点灯色が暗くなって輝度が不足することなく、所望の輝度および色度を有する点灯色を点灯部に表示させることができる。
【００２２】
第９の発明に係るイルミネーション調整システムは、第４から第８の発明のいずれか１つに係るイルミネーション調整システムであって、表示装置は、生体情報を測定する生体情報測定装置に設けられている。
ここでは、イルミネーション調整装置によって点灯色が調整される表示装置を、生体情報測定装置に設けている。
ここで、生体情報測定装置には、例えば、血糖値を測定する血糖メータ等が含まれる。
これにより、例えば、生体情報の測定結果に応じて変化する点灯色を、正確な輝度および色度によって点灯部に表示させることで、使用者に正確な状態の変化を通知することができる。
【００２３】
第１０の発明に係るイルミネーション調整システムは、第９の発明に係るイルミネーション調整システムであって、状態の変化には、生体情報の測定結果が適正範囲であること、および適正範囲外であることの変化が含まれる。
【００２４】
ここでは、生体情報測定装置に設けられた表示装置に表示される点灯色は、生体情報の測定結果が適正範囲であるか否かによって変化する。
これにより、例えば、生体情報測定装置によって血糖値が測定された結果、正常範囲であった場合、正常範囲より低い値（低血糖）であった場合、正常範囲より高い値（高血糖）であった場合とで、それぞれ異なる点灯色で表示することができる。
この結果、使用者あるいは患者は、点灯部に表示された点灯色を確認するだけで、生体情報の測定結果を容易に認識することができる。
【００２５】
第１１の発明に係るイルミネーション調整システムは、第９または第１０の発明のイルミネーション調整システムであって、生体情報測定装置は、生体情報を測定するために使用されるセンサが装着されるセンサ装着部を備えている。点灯部は、センサ装着部の近傍に配置されている。
【００２６】
ここでは、生体情報の測定に使用されるセンサが挿入されるセンサ装着部の近傍に、状態の変化に応じて点灯色を変化させる点灯部を設けている。
これにより、センサ装着部にセンサを挿入した状態で測定を実施した後、センサ装着部付近において、測定結果に応じた点灯色を表示することで、使用者等はより容易に測定結果を認識することができる。
【００２７】
第１２の発明に係るイルミネーション調整システムは、第４から第１１の発明のいずれか１つに係るイルミネーション調整システムであって、点灯部に表示される点灯色には、赤色、青色、緑色、青緑色、黄色、紫色、白色のうち、少なくとも２つが含まれる。
ここでは、例えば、生体情報測定装置等に設けられた表示装置の点灯部において、３原色の発光素子を組み合わせて、赤色、青色、緑色、青緑色、黄色、紫色、白色等の複数色を表示させる。
これにより、生体情報測定装置に設けられた表示装置の点灯部の点灯色を、例えば、電源オン、通信中、測定中、測定結果が正常範囲、正常範囲外（低）、正常範囲外（高）等の各種状態に対応させて、それぞれ、赤色、青色、緑色、青緑色、黄色、紫色、白色に切り替えて表示することができる。
【００２８】
第１３の発明に係るイルミネーション調整方法は、状態の変化に応じて、赤色・緑色・青色の発光素子に供給される電流のパルス信号のデューティー比を制御して複数の点灯色を切り替えて点灯部に表示する表示装置の調整を行うイルミネーション調整方法であって、測定ステップと、算出ステップと、出力ステップと、を備えている。測定ステップは、表示装置の点灯部において表示された各点灯色の光の輝度および色度を測定する。算出ステップは、測定ステップにおいて測定された輝度および色度の値に基づいて、予め設定された点灯色ごとの輝度および色度になるように、各色の発光素子に供給される電流のパルス信号のデューティー比を算出する。出力ステップは、算出ステップにおいて算出されたデューティー比の値を、表示装置に対して出力する。
【００２９】
ここでは、Ｒ（赤色）・Ｇ（緑色）・Ｂ（青色）の３原色の発光素子に対して電流のパルス信号のデューティー比を制御して点灯色を変化させる表示装置の調整を行う方法において、表示装置の点灯部で表示された点灯色の輝度および色度を測定し、その測定結果に基づいて所定の計算式等を用いて、所望の輝度および色度になるように調整するための電流のパルス信号のデューティー比を算出し、これを表示装置へ出力する。
【００３０】
ここで、状態の変化に応じて複数の点灯色を切り替えて表示する表示装置には、例えば、生体情報測定装置等の各種測定装置、携帯電話、スマートフォン等が含まれる。また、表示装置には、点灯色を切り替えて表示する点灯部の他に、画像情報や文字情報等を表示する液晶表示部等が設けられていてもよい。
さらに、状態の変化には、例えば、電源オン、電源オフ、通信中、各種測定完了、測定中、測定結果の評価（良悪等）等が含まれる。
【００３１】
このような点灯色によって様々な状態の変化を通知する表示装置において、特に、生体情報測定装置等では、各色が示す状態の変化を正確に使用者に伝えるために、所望の点灯色（輝度および色度）で表示することが求められる。
本発明によれば、上記の方法により、表示装置の点灯部に表示された点灯色の輝度および色度を測定して、その測定結果に基づいて、その状態の変化に対応する所望の輝度および色度の範囲になるように調整するためのデューティー比を、表示装置へ出力することができる。
この結果、表示装置では、イルミネーション調整装置から受信したデューティー比を用いて再度、点灯色を表示させることで、状態の変化に応じて、点灯部において表示される点灯色の輝度および色度を正確に表示することができる。
【００３２】
第１４の発明に係るイルミネーション調整プログラムは、状態の変化に応じて、赤色・緑色・青色の発光素子に供給される電流のパルス信号のデューティー比を制御して複数の点灯色を切り替えて点灯部に表示する表示装置の調整を行うイルミネーション調整プログラムであって、測定ステップと、算出ステップと、出力ステップと、を備えたイルミネーション調整方法をコンピュータに実行させる。測定ステップは、表示装置の点灯部において表示された各点灯色の光の輝度および色度を測定する。算出ステップは、測定ステップにおいて測定された輝度および色度の値に基づいて、予め設定された点灯色ごとの輝度および色度になるように、各色の発光素子に供給される電流のパルス信号のデューティー比を算出する。出力ステップは、算出ステップにおいて算出されたデューティー比の値を、表示装置に対して出力する。
【００３３】
ここでは、Ｒ（赤色）・Ｇ（緑色）・Ｂ（青色）の３原色の発光素子に対して電流のパルス信号のデューティー比を制御して点灯色を変化させる表示装置の調整を行う方法をコンピュータに実行させるプログラムにおいて、表示装置の点灯部で表示された点灯色の輝度および色度を測定し、その測定結果に基づいて所定の計算式等を用いて、所望の輝度および色度になるように調整するための電流のパルス信号のデューティー比を算出し、これを表示装置へ出力する。
【００３４】
ここで、状態の変化に応じて複数の点灯色を切り替えて表示する表示装置には、例えば、生体情報測定装置等の各種測定装置、携帯電話、スマートフォン等が含まれる。また、表示装置には、点灯色を切り替えて表示する点灯部の他に、画像情報や文字情報等を表示する液晶表示部等が設けられていてもよい。
さらに、状態の変化には、例えば、電源オン、電源オフ、通信中、各種測定完了、測定中、測定結果の評価（良悪等）等が含まれる。
【００３５】
このような点灯色によって様々な状態の変化を通知する表示装置において、特に、生体情報測定装置等では、各色が示す状態の変化を正確に使用者に伝えるために、所望の点灯色（輝度および色度）で表示することが求められる。
本発明によれば、上記の方法により、表示装置の点灯部に表示された点灯色の輝度および色度を測定して、その測定結果に基づいて、その状態の変化に対応する所望の輝度および色度の範囲になるように調整するためのデューティー比を、表示装置へ出力することができる。
【００３６】
この結果、表示装置では、イルミネーション調整装置から受信したデューティー比を用いて再度、点灯色を表示させることで、状態の変化に応じて、点灯部において表示される点灯色の輝度および色度を正確に表示することができる。
【発明の効果】
【００３７】
本発明に係るイルミネーション調整装置によれば、状態の変化に応じて、赤色・緑色・青色の発光素子に供給される電流のパルス信号のデューティー比を制御して複数の点灯色を切り替えて点灯部に表示する表示装置の輝度および色度を正確に調整することができる。
【図面の簡単な説明】
【００３８】
【図１】本発明の一実施形態に係るイルミネーション調整装置によって点灯部の点灯色が調整される生体情報測定装置の構成を示す図。
【図２】本発明の一実施形態に係るイルミネーション調整装置が図１の生体情報測定装置と接続された状態を示す制御ブロック図。
【図３】（ａ）〜（ｃ）は、赤色（Ｒ）、緑色（Ｇ）、青色（Ｂ）の発光素子に供給される電流のパルス信号を示す図。
【図４】（ａ）〜（ｄ）は、黄色、青緑色、紫色、白色のそれぞれの点灯色を表示する際に各色の発光素子に供給される電流のパルス信号を示す図。
【図５】本発明の一実施形態に係るイルミネーション調整式の決定の流れを示すフローチャート。
【図６】図５のフローチャートのＳ１２において確認される測定したＲ・Ｇ・Ｂ３原色の輝度測定値、発光光度、デューティー比が比例関係にあることを示すグラフ。
【図７】本発明の一実施形態に係るイルミネーション調整方法の処理の流れを示すフローチャート。
【図８】本発明の一実施形態に係るイルミネーション調整後の判定の処理の流れを示すフローチャート。
【発明を実施するための形態】
【００３９】
本発明の一実施形態に係るイルミネーション調整装置２０およびこれを備えたイルミネーション調整システム１００について、図１〜図８を用いて説明すれば以下の通りである。
本実施形態に係るイルミネーション調整システム１００は、図１に示す生体情報測定装置（表示装置）１０と、図２に示すイルミネーション調整装置２０とを含むように構成されている。
【００４０】
そして、イルミネーション調整装置２０は、図１に示す生体情報測定装置１０の点灯部１３に表示される点灯色を調整するために用いられる。
（１）生体情報測定装置１０の構成
生体情報測定装置１０は、例えば、患者の指Ｆ１に形成した穿刺傷から流出させた血液Ｂを点着させたセンサ１を挿入した状態で血糖値を測定する血糖センサであって、電池１７（図２参照）から供給される電力によって駆動される。
【００４１】
ここで、生体情報測定装置１０のセンサ挿入口１２に装着されるセンサ１は、図１に示すように、点着口１ａと、電極部１ｂとを有している。
点着口１ａには、センサ１の第１端部に設けられている。そして、患者の指Ｆ１から流出した血液Ｂが点着口１ａに点着されると、毛細管現象によって、血液Ｂがセンサ１内において供給路に沿って所定の方向へ移動し、センサ１内に設けられた試薬層（図示せず）と反応する。
【００４２】
電極部１ｂは、生体情報測定装置１０のセンサ挿入口１２内に挿入される側の第２端部に設けられている。そして、上述した試薬層は、酸化還元酵素および電子受容体を含み、センサ１内において電極部１ｂの一部を覆うように配置されている。電極部１ｂがセンサ挿入口１２に挿入されると、センサ１と生体情報測定装置１０とが電気的に接続され、血液Ｂと試薬層との反応によって試薬層に含まれる電子受容体の電気化学的な酸化によって得られる電流が測定される。
【００４３】
これにより、生体情報測定装置を用いて、血液中に含まれるグルコース濃度（血糖値）を測定することができる。
そして、生体情報測定装置１０は、図１に示すように、本体部１１、センサ挿入口（センサ装着部）１２、点灯部１３、ボタン１４、表示部１５、制御部１６（図２参照）および電池１７（図２参照）を備えている。
【００４４】
なお、図２に示す制御ブロック図では、説明の便宜上、生体情報測定装置１０の構成のうち、イルミネーション調整装置２０と関係する構成のみを示しており、血糖値の測定を行う測定部等の図示は省略されているものとする。
本体部１１は、生体情報測定装置１０の筐体部分であって、内部に、図２に示す制御部１６、点灯部１３の光源となる赤色（Ｒ）・緑色（Ｇ）・青色（Ｂ）の３原色の発光素子（ＬＥＤ（Light Emitting Diode））等が設けられている。
【００４５】
センサ挿入口１２は、本体部１１の端面に形成された開口部であって、上述したセンサ１が装着される。
点灯部１３は、本体部１１におけるセンサ挿入口１２が設けられた端面に設けられており、センサ挿入口１２の周囲を所望の点灯色によって照明する。また、点灯部１３は、光源となる赤色（Ｒ）・緑色（Ｇ）・青色（Ｂ）の３原色の発光素子に供給される電流のパルス信号のデューティー比を制御することで、所望の点灯色を表示する。
【００４６】
具体的には、点灯部１３は、電池１７（図２参照）から供給された電流のパルス信号のデューティー比を調整することで、生体情報測定装置１０の状態の変化に応じて、その状態に対応する点灯色の光を照明する。
デューティー比は、図３（ａ）〜図３（ｃ）に示すように、赤色（Ｒ）・緑色（Ｇ）・青色（Ｂ）の３原色の発光素子のそれぞれに供給される電流のパルス信号の周期Ｔ＝１におけるＯＮとなる時間の割合を意味する。
【００４７】
ここで、生体情報測定装置１０の状態の変化には、例えば、電源オン（起動時）、通信時（例えば、Bluetooth（登録商標）等の無線通信、ケーブルを用いた有線通信等）、血糖値の測定結果が正常値の範囲である、正常値の範囲よりも低い値である（低血糖）、正常値の範囲よりも高い値である（高血糖）等が含まれる。
本実施形態では、点灯部１３の点灯色は、赤色、青色、青緑色、黄色、白色の５色が設定されている。そして、各点灯色は、白色が電源オン（起動時）、青色が通信時、青緑色が測定結果（血糖値）が正常値の範囲、赤色が測定結果（血糖値）が正常値の範囲よりも低い、黄色が測定結果（血糖値）が正常値の範囲よりも高いという、それぞれの状態に対応するように設定されている。
【００４８】
上記５色の点灯色のうち、赤色は、赤色（Ｒ）の発光素子のみを点灯させることで表示される。青色は、青色（Ｂ）の発光素子のみを点灯させることで表示される。青緑色は、図４（ａ）に示すように、青色（Ｂ）の発光素子と緑色（Ｇ）の発光素子とを点灯させた際の混合色として表示される。黄色は、図４（ｂ）に示すように、青色（Ｂ）の発光素子と緑色（Ｇ）の発光素子とを点灯させた際の混合色として表示される。白色は、図４（ｃ）に示すように、赤色（Ｒ）の発光素子、青色（Ｂ）の発光素子および緑色（Ｇ）の発光素子の３原色全てを点灯させた際の混合色として表示される。
【００４９】
また、本実施形態では、図４（ａ）〜図４（ｄ）に示す混合色を点灯部１３に点灯させる際には、電池１７から供給される１．０Ａの電流のパルス信号を、１周期Ｔの範囲内で、高速で切り替えることで所望の混合色を点灯させる。
より具体的には、例えば、青緑色の点灯色を点灯部１３に表示する場合には、図４（ａ）に示すように、１周期Ｔの範囲内で、緑色（Ｇ）の発光素子と青色（Ｂ）の発光素子とを高速で切り替えて点灯させることで、人間の目には青緑色に見えるように表示することができる。
【００５０】
これにより、電池１７から供給される略一定の電流によって駆動される生体情報測定装置１０であっても、電流値を変化させる回路等を設けることなく、所望の混合色を点灯部１３に表示することができる。
生体情報測定装置１０を用いて血糖値の測定を行う糖尿病患者等は、糖尿病の影響によって色覚異常という眼科的合併症を伴う場合がある。このため、これらの点灯部１３に表示される点灯色は、血糖値の測定結果に異常があるか否かを、色によって一目で判別するために表示されるという側面も有していることから、色の識別機能が低下している患者等に対して、正確な輝度と色度とで表示される必要がある。
【００５１】
特に、測定結果を示す点灯色（青緑色、赤色、黄色）の３色については、他の色と勘違いされないように、高精度に輝度および色度が管理されていることが好ましい。
ボタン１４は、血糖値の測定を開始する際等に操作される操作部であって、表示部１５が設けられた本体部１１の表面に設けられている。
表示部１５は、本体部１１におけるセンサ挿入口１２寄りの表面に設けられた液晶表示パネルであって、例えば、血糖値の測定結果等を表示する。
【００５２】
制御部１６は、図２に示すように、点灯部１３、表示部１５および電池１７と接続されており、電池１７からの電力供給を受けて、点灯部１３、表示部１５および血糖値の測定を行う測定部（図示せず）等の制御を行う。そして、制御部１６は、図２に示すように、電流デューティー比制御回路（デューティー比制御部）１６ａと、メモリ（第２記憶部）１６ｂと、を有している。
【００５３】
電流デューティー比制御回路１６ａは、点灯部１３に含まれる赤色（Ｒ）・緑色（Ｇ）・青色（Ｂ）の３原色の発光素子にそれぞれ供給される電流のパルス信号のデューティー比を決定し、所望の点灯色が表示されるように点灯部１３を制御する。また、電流デューティー比制御回路１６ａは、後述するイルミネーション調整装置２０から出力された調整用のデューティー比のデータを用いて、調整後の点灯色が表示されるように点灯部１３を制御する。
【００５４】
メモリ１６ｂは、各種データを保存するための記憶手段であって、制御部１６に設けられている。そして、メモリ１６ｂは、後述するイルミネーション調整装置２０から出力された調整用のデューティー比のデータを保存する。
電池１７は、例えば、繰り返し充電可能な二次電池であって、生体情報測定装置１０の電源として設けられている。そして、電池１７は、略一定の電流を制御部１６等に対して供給することで、生体情報測定装置１０を駆動する。
【００５５】
（２）イルミネーション調整装置２０の構成
本実施形態のイルミネーション調整装置２０は、上述した生体情報測定装置１０の点灯部１３に表示される点灯色が適正な輝度および色度で表示されているか否かを検査して、適正な輝度および色度で表示されるように調整するために使用される。そして、イルミネーション調整装置２０は、図２に示すように、輝度色度測定器（測定部）２１、輝度色度制御部２２、出力部２３、および仕様判定部（判定部）２４を備えている。
【００５６】
輝度色度測定器２１は、図２に示すように、生体情報測定装置１０の点灯部１３において表示された点灯色の輝度および色度を測定する。
より具体的には、輝度色度測定器２１は、赤色（Ｒ）・緑色（Ｇ）・青色（Ｂ）の３原色の発光素子を所定のデューティー比で点灯させた赤色・緑色・青色のそれぞれ光の輝度および色度を測定する。そして、輝度色度測定器２１は、測定した結果（輝度および色度のデータ）を、輝度色度制御部２２および仕様判定部２４へ送信する。
【００５７】
輝度色度制御部２２は、図２に示すように、輝度色度測定器２１から受信した生体情報測定装置１０の点灯部１３の点灯色の計測結果に基づいて、各点灯色の輝度および色度が所定の数値範囲になるように調整するためのデューティー比を算出し、そのデータを出力部２３へ送信する。そして、輝度色度制御部２２は、図２に示すように、メモリ（第１記憶部）２２ａと、電流デューティー比計算部２２ｂと、を有している。
【００５８】
メモリ２２ａは、各種データを保存するための記憶手段であって、輝度色度制御部２２に設けられている。そして、メモリ２２ａは、図２に示すように、輝度色度測定器２１、電流デューティー比計算部２２ｂ、出力部２３および仕様判定部２４と接続されている。また、メモリ２２ａは、輝度色度測定器２１における測定結果のデータ、電流デューティー比計算部２２ｂにおいて算出された調整用のデューティー比のデータを保存する。
【００５９】
電流デューティー比計算部２２ｂは、輝度色度測定器２１からメモリ２２ａを介して受信した赤色（Ｒ）・緑色（Ｇ）・青色（Ｂ）の３原色の発光素子を順に点灯させた際の測定結果を用いて、各点灯色が所定の範囲内の輝度および色度になるように調整するためのデューティー比を算出する。このとき、電流デューティー比計算部２２ｂは、所定の計算式（イルミネーション調整式）を用いて、各色（Ｒ・Ｇ・Ｂ）の調整用のデューティー比を算出する。
【００６０】
なお、このイルミネーション調整式の決定方法については、後段にて詳述する。
出力部２３は、メモリ２２ａから送信された調整用のデューティー比に関するデータを生体情報測定装置１０に対して出力する。
なお、出力部２３から生体情報測定装置１０へのデータの送信は、例えば、Bluetooth（登録商標）等の無線通信を用いて実施される。そして、出力部から送信された調整用のデューティー比のデータは、生体情報測定装置１０側の制御部１６のメモリ１６ｂに保存される。
【００６１】
仕様判定部２４は、図２に示すように、メモリ２２ａに接続されており、調整用のデューティー比を用いて点灯させた発光素子の点灯色の輝度および色度を、輝度色度測定器２１で測定し、その結果を保存したメモリ２２ａから受信する。より詳細には、仕様判定部２４は、出力部２３から出力された調整用のデューティー比のデータを用いて、生体情報測定装置１０の点灯部１３において赤色（Ｒ）・緑色（Ｇ）・青色（Ｂ）の発光素子を点灯させた際の点灯色の輝度および色度を、再度、輝度色度測定器２１によって測定した結果、調整後の輝度および色度が所定の範囲内であるか否かを判定する。
【００６２】
具体的には、仕様判定部２４は、電流デューティー比計算部２２ｂにおいて算出された調整用のデューティー比のデータを用いて、再度、生体情報測定装置１０の点灯部１３を点灯させた結果、測定結果（輝度および色度）が、予め設定された製品仕様の数値範囲内にあるか否かを判定する。そして、仕様判定部２４は、メモリ２２ａに対して、判定結果を送信する。
【００６３】
なお、仕様判定部２４における判定処理については、図８に示すフローチャートを用いて後段にて説明する。
＜イルミネーション調整式の決定＞
本実施形態のイルミネーション調整システム１００では、上述した電流デューティー比計算部２２ｂにおいて調整用のデューティーの算出に用いられる調整式が、図５に示すフローチャートに従って予め決定される。
【００６４】
すなわち、ステップＳ１１では、発光光度が既知の赤色（Ｒ）・緑色（Ｇ）・青色（Ｂ）の３原色の発光素子を用いて、デューティー比を変化させながら、各色（Ｒ・Ｇ・Ｂ）の輝度を測定する。
次に、ステップＳ１２では、測定したＲ・Ｇ・Ｂの３原色のそれぞれの輝度測定値（ｃｄ／ｍ２）、発光光度（ｍｃｄ）、およびデューティー比が、図６に示すように、比例関係にあることを確認する。
【００６５】
次に、ステップＳ１３では、生体情報測定装置１０の点灯部１３の点灯色が所定の輝度および色度になるように、デューティー比を変化させながら、輝度および色度を測定する。
次に、ステップＳ１４では、ステップＳ１３における測定結果が、生体情報測定装置１０の点灯部１３に表示される所望の点灯色の輝度および色度の範囲になる各色の発光素子の輝度（目標輝度）を確認する。
【００６６】
次に、ステップＳ１５では、各色（Ｒ・Ｇ・Ｂ）の発光素子について、点灯部１３の点灯色が所望の輝度および色度を有するように、以下のような、それぞれの輝度を調整するための調整式（所定の計算式）を作成する。
なお、以下のＲｗ，Ｒｒ，Ｒｙ，Ｒｗ，Ｇｇ，Ｇｙ，Ｇｗ，Ｂｇ，Ｂｂ，Ｂｗについて、大文字は３色（Ｒｅｄ，Ｇｒｅｅｎ，Ｂｌｕｅ）のＬＥＤの中の１色を表し、小文字は点灯表示する色を表している。例えば、Ｒｗは、白色（Ｗｈｉｔｅ）点灯表示する際のＲｅｄ−ＬＥＤのデューティー比を示す。そして、点灯表示する色ごとのＲｅｄ，Ｇｒｅｅｎ，Ｂｌｕｅのデューティー合計は、１００以下である。
【００６７】
以下の調整式のうち、例えば、
赤デューティー比設定値（白）＝赤目標輝度／赤測定輝度＊Ｒｗ
は、白色の点灯色を点灯部１３に点灯する際の、赤色（Ｒ）の発光素子のデューティー比の計算式を示している。
・赤色（Ｒ）の発光素子の調整式
赤デューティー比設定値（赤）＝赤目標輝度／赤測定輝度＊Ｒｒ
赤デューティー比設定値（青緑）＝赤目標輝度／赤測定輝度＊０．０
赤デューティー比設定値（青）＝赤目標輝度／赤測定輝度＊０．０
赤デューティー比設定値（黄）＝赤目標輝度／赤測定輝度＊Ｒｙ
赤デューティー比設定値（白）＝赤目標輝度／赤測定輝度＊Ｒｗ
・緑色（Ｇ）の発光素子の調整式
緑デューティー比設定値（赤）＝緑目標輝度／緑測定輝度＊０．０
緑デューティー比設定値（青緑）＝緑目標輝度／緑測定輝度＊Ｇｇ
緑デューティー比設定値（青）＝緑目標輝度／緑測定輝度＊０．０
緑デューティー比設定値（黄）＝緑目標輝度／緑測定輝度＊Ｇｙ
緑デューティー比設定値（白）＝緑目標輝度／緑測定輝度＊Ｇｗ
・青色（Ｂ）の発光素子の調整式
青デューティー比設定値（赤）＝青目標輝度／青測定輝度＊０．０
青デューティー比設定値（青緑）＝青目標輝度／青測定輝度＊Ｂｇ
青デューティー比設定値（青）＝青目標輝度／青測定輝度＊Ｂｂ
青デューティー比設定値（黄）＝青目標輝度／青測定輝度＊０．０
青デューティー比設定値（白）＝青目標輝度／青測定輝度＊Ｂｗ
次に、ステップＳ１６では、発光色度が異なる複数の発光素子について、ステップＳ１５で作成された調整式を用いて輝度調整を実施し、発光素子の各色（Ｒ・Ｇ・Ｂ）の色度と調整式によって調整された後の各色の色度のばらつきを確認する。
【００６８】
次に、ステップＳ１７では、Ｒ・Ｇ・Ｂの３原色の発光素子の色度ランクと、ステップＳ１５で作成された調整式とを組み合わせて、イルミネーション調整式を作成する。
ここで、各点灯色の調整を行う場合には、各色（Ｒ・Ｇ・Ｂ）の色度の値に応じて、以下のような条件付きのイルミネーション調整式が作成される。
なお、以下の説明では、青色（Ｂ）の発光素子の調整に特化して説明しているが、例えば、赤色（Ｒ）および緑色（Ｇ）の発光素子の調整についても同様である。
【００６９】
例えば、赤色の点灯色の調整を行う場合には、以下のようなイルミネーション調整式が作成される。
青デューティー設定値比（赤）＝青目標輝度／青測定輝度＊０．０
上記調整式は、赤色の点灯色を表示する際に、青色（Ｂ）の発光素子の点灯は不要であることを意味している。
【００７０】
次に、例えば、青緑色の点灯色の調整を行う場合には、測定された青色の色度の値に応じて、以下のような条件付きのイルミネーション調整式が作成される。
（ａ）青測定色度Ｙ≦０．０７５の場合
青デューティー比設定値（青緑）＝青目標輝度／青測定輝度＊Ｂｇ×０．８
上記調整式は、青緑色の点灯色を表示させた際に測定された青色の色度が０．０７５以下である場合には、青色が濃いため、青色の発光素子のデューティー比として、青色の目標輝度／青色の測定輝度をＢｇ×０．８倍することを意味している。
（ｂ）青測定色度０．０７５＜Ｙ≦０．０８５の場合
青デューティー比設定値（青緑）＝青目標輝度／青測定輝度＊Ｂｇ×１．０
上記調整式は、青緑色の点灯色を表示させた際に測定された青色の色度が０．０７５より大きく０．０８５以下である場合には、青色の濃さが中庸であるため、青色の発光素子のデューティー比として、青色の目標輝度／青色の測定輝度をＢｇ×１．０倍することを意味している。
（ｃ）青測定色度Ｙ＞０．０８５の場合
青デューティー比設定値（青緑）＝青目標輝度／青測定輝度＊Ｂｇ×１．２
上記調整式は、青緑色の点灯色を表示させた際に測定された青色の色度が０．０８５より大きい場合には、青色が薄いため、青色の発光素子のデューティー比として、青色の目標輝度／青色の測定輝度をＢｇ×１．２倍することを意味している。
【００７１】
次に、青色の点灯色の調整を行う場合には、以下のようなイルミネーション調整式が作成される。
青デューティー比設定値（青）＝青目標輝度／青測定輝度＊Ｂｂ
次に、黄色の点灯色の調整を行う場合には、以下のようなイルミネーション調整式が作成される。
【００７２】
青デューティー比設定値（黄）＝青目標輝度／青測定輝度＊０．０
なお、上記調整式は、黄色の点灯色を表示する際には、青色（Ｂ）の発光素子の点灯は不要であることを意味している。ただし、この場合には、黄色の点灯色を構成する赤（Ｒ）および緑（Ｇ）の発光素子の調整が別途実施される。
次に、例えば、白色の点灯色の調整を行う場合には、測定された青色の色度の値に応じて、以下のような条件付きのイルミネーション調整式が作成される。
（ａ）青測定色度Ｙ≦０．０７５の場合
青デューティー比設定値（白）＝青目標輝度／青測定輝度＊Ｂｗ×０．８
上記調整式は、白色の点灯色を表示させた際に測定された青色の色度が０．０７５以下である場合には、青色が濃いため、青色の発光素子のデューティー比として、青色の目標輝度／青色の測定輝度をＢｗ×０．８倍することを意味している。
（ｂ）青測定色度０．０７５＜Ｙ≦０．０８５の場合
青デューティー比設定値（白）＝青目標輝度／青測定輝度＊Ｂｗ×１．０
上記調整式は、白色の点灯色を表示させた際に測定された青色の色度が０．０７５より大きく０．０８５以下である場合には、青色の濃さが中庸であるため、青色の発光素子のデューティー比として、青色の目標輝度／青色の測定輝度をＢｗ×１．０倍することを意味している。
（ｃ）青測定色度Ｙ＞０．０８５の場合
青デューティー比設定値（白）＝青目標輝度／青測定輝度＊Ｂｗ×１．２
上記調整式は、白色の点灯色を表示させた際に測定された青色の色度が０．０８５より大きい場合には、青色が薄いため、青色の発光素子のデューティー比として、青色の目標輝度／青色の測定輝度をＢｗ×１．２倍することを意味している。
【００７３】
なお、上記条件付きのイルミネーション調整式で設定される閾値（０．０７５および０．０８５）は、製品ごとに設定される点灯色の仕様に応じて適宜変更される。
＜イルミネーション調整方法＞
本実施形態のイルミネーション調整システム１００では、以上の様な構成を用いて、図７に示すフローチャートに従って、イルミネーション調整方法を実施する。
【００７４】
すなわち、ステップＳ２１では、輝度色度測定器２１において、所定のデューティー比（デフォルト値）で点灯させた赤色（Ｒ）の発光素子の光の輝度および色度を測定する。そして、その測定結果が、輝度色度制御部２２のメモリ２２ａに保存される。
次に、ステップＳ２２では、ステップＳ２１と同様に、輝度色度測定器２１において、所定のデューティー比（デフォルト値）で点灯させた緑色（Ｇ）の発光素子の光の輝度および色度を測定する。そして、その測定結果が、輝度色度制御部２２のメモリ２２ａに保存される。
【００７５】
次に、ステップＳ２３では、ステップＳ２１およびＳ２２と同様に、輝度色度測定器２１において、所定のデューティー比（デフォルト値）で点灯させた青色（Ｂ）の発光素子の光の輝度および色度を測定する。そして、その測定結果が、輝度色度制御部２２のメモリ２２ａに保存される。
次に、ステップＳ２４では、輝度色度制御部２２の電流デューティー比計算部２２ｂが、メモリ２２ａに保存されたＲ・Ｇ・Ｂの３原色の測定結果（輝度および色度のデータ）に対して、上段にて説明したイルミネーション調整式を用いて、各色（Ｒ・Ｇ・Ｂ）の調整用のデューティー比を算出する。
【００７６】
次に、ステップＳ２５では、電流デューティー比計算部２２ｂにおいて算出された調整用のデューティー比のデータが、メモリ２２ａに送信されて保存される。
次に、ステップＳ２６では、メモリ２２ａに保存された調整用のデューティー比のデータが、出力部２３を介して、生体情報測定装置１０へ送信される。
本実施形態のイルミネーション調整方法では、以上のような処理によって、イルミネーション調整装置２０から送信された調整用のデューティー比のデータを用いて、生体情報測定装置１０の点灯部１３に表示される点灯色が処理の輝度および色度で表示されるように調整を行う。
【００７７】
これにより、赤色（Ｒ）・緑色（Ｇ）・青色（Ｂ）の発光素子に供給される電流のパルス信号のデューティー比を制御して複数の点灯色を切り替えて点灯部１３に表示させる際に、点灯色の輝度および色度を調整して正確に表示することができる。
この結果、生体情報測定装置１０の状態の変化に応じて、使用者に正確な色の情報を提供することができる。
【００７８】
＜イルミネーション調整後の判定処理＞
本実施形態のイルミネーション調整システム１００では、上述したイルミネーション調整処理後の処理として、さらに、図８に示すフローチャートに従って、仕様判定処理を実施する。
すなわち、ステップＳ３１では、生体情報測定装置１０において、イルミネーション調整装置２０から受信してメモリ１６ｂに保存された調整用のデューティー比を用いて点灯させた赤色（Ｒ）・緑色（Ｇ）・青色（Ｂ）の発光素子によって点灯させた点灯色の輝度および色度を、イルミネーション調整装置２０の輝度色度測定器２１において測定する。そして、輝度色度測定器２１において測定された結果は、メモリ２２ａに保存される。
【００７９】
次に、ステップＳ３２では、輝度色度測定器２１において測定された結果（点灯色の輝度および色度）は、製品仕様で定められた所定の範囲内であるか否かを判定する。ここで、測定結果が所定の範囲内である場合には、ステップＳ３３へ進む。一方、測定結果が所定の範囲内ではない場合には、ステップＳ３４へ進む。
次に、ステップＳ３３では、ステップＳ３２において、測定結果が所定の範囲内であると判定されたため、仕様を満たす製品であると判定し、処理を終了する。
【００８０】
一方、ステップＳ３４では、ステップＳ３２において、測定結果が所定の範囲内ではないと判定されたため、仕様を満たさない製品であると判定し、ステップＳ３５へ進む。
次に、ステップＳ３５では、デューティー比の再調整の回数が所定回数以内であるか否かを判定する。ここで、再調整の回数が所定回数以内である場合には、ステップＳ３６へ進む。なお、再調整の回数は、例えば、３回と設定されていればよい。
【００８１】
一方、再調整の回数が所定回数を超える（４回目）場合には、再度の調整は不要と判断し、例えば、製品を不良品として処理する。
次に、ステップＳ３６では、再調整の回数が所定回数以内であるため、再度の調整によって仕様の範囲内になる可能性があると判断し、ステップＳ２１からのイルミネーション調整処理を再度実施する。
【００８２】
本実施形態のイルミネーション調整方法では、以上の処理によって、所定回数までイルミネーション調整処理を繰り返し実施する。
これにより、例えば、３回以内の調整によって、予め仕様で規定された輝度および色度の範囲内になる可能性がある生体情報測定装置１０を廃棄等してしまうことなく、再度の調整を実施して製品として供給することができる。
【００８３】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明をイルミネーション調整装置２０およびイルミネーション調整方法として実現した例を挙げて説明した。しかし、本発明はこれに限定されるものではない。
【００８４】
例えば、上述したイルミネーション調整方法をコンピュータに実行させるイルミネーション調整プログラムとして実現してもよい。
この場合には、イルミネーション調整装置側に設けられたメモリ等に本プログラムを保存しておき、例えば、ＣＰＵが本プログラムを読み込んで形成される機能ブロックによって、上述したイルミネーション調整方法を実行することができる。
【００８５】
（Ｂ）
上記実施形態では、点灯部１３の点灯色として、赤色、青色、青緑色、黄色、白色の５色が設定された例を挙げて説明した。しかし、本発明はこれに限定されるものではない。
例えば、５色よりも多くの点灯色を含んでいてもよいし、４色以下の点灯色を含んでいてもよい。
さらに、点灯色として、紫色、緑色等、他の点灯色を含む点灯部であってもよい。
なお、紫色は、図４（ｄ）に示すように、赤色（Ｒ）の発光素子と青色（Ｂ）の発光素子とを点灯させることで表示される。また、緑色は、緑色（Ｇ）の発光素子のみを点灯させることで表示される。
【００８６】
（Ｃ）
上記実施形態では、点灯色を切り替えて状態の変化を表示する点灯部１３が、生体情報測定装置１０の本体部１１におけるセンサ挿入口１２の近傍に配置された例を挙げて説明した。しかし、本発明はこれに限定されるものではない。
【００８７】
例えば、点灯部が、生体情報測定装置の本体部におけるセンサ挿入口とは反対側の端部、あるいは本体部の中央部分等、他の位置に設けられていてもよい。
ただし、上記実施形態のように、点灯部をセンサ挿入口の付近に設けることで、例えば、暗い場所で血糖値の測定を行う際に、センサ付近が明るく照明され、センサへの血液等の作業を容易に行うことができるという効果が得られることを考慮すれば、上記実施形態のような構成とすることが好ましい。
【００８８】
（Ｄ）
上記実施形態では、血糖値の測定を行う生体情報測定装置１０の調整を行う装置に対して本発明を適用した例を挙げて説明した。しかし、本発明はこれに限定されるものではない。
例えば、点灯色を切り替えて状態の変化を表示する点灯部を備えた表示装置の調整を行う調整装置に対しても、本発明の適用は可能である。
また、生体情報測定装置によって測定される生体情報は、血糖値に限定されるものではなく、他の生体情報の測定を行う装置の点灯色の調整を行う装置であってもよい。
【００８９】
（Ｅ）
上記実施形態では、イルミネーション調整装置２０と生体情報測定装置１０との間におけるデータの送受信を、Bluetooth（登録商標）等の無線通信を用いて実施する例を挙げて説明した。しかし、本発明はこれに限定されるものではない。
【００９０】
例えば、無線通信としては、Bluetooth（登録商標）に限定されるものではなく、Wifi等のインターネット経由の通信手段を用いてデータの送受信を実施してもよい。また、ＵＳＢ等のケーブルを介した有線通信を用いて、データの送信受信を行ってもよい。
【産業上の利用可能性】
【００９１】
本発明のイルミネーション調整装置は、状態の変化に応じて、赤色・緑色・青色の発光素子に供給される電流のパルス信号のデューティー比を制御して複数の点灯色を切り替えて点灯部に表示する表示装置の輝度および色度を正確に調整することができるという効果を奏することから、点灯色を切り替えて表示する各種表示装置に対して広く適用可能である。
【符号の説明】
【００９２】
１      センサ
１ａ    点着口
１ｂ    電極部
１０      生体情報測定装置（表示装置）
１１      本体部
１２      センサ挿入口（センサ装着部）
１３      点灯部
１４      ボタン
１５      表示部
１６      制御部
１６ａ    電流デューティー比制御回路（デューティー比制御部）
１６ｂ    メモリ（第２記憶部）
１７      電池
２０      イルミネーション調整装置
２１      輝度色度測定器（測定部）
２２      輝度色度制御部
２２ａ    メモリ（第１記憶部）
２２ｂ    電流デューティー比計算部
２３      出力部
２４      仕様判定部（判定部）
１００    イルミネーション調整システム
Ｂ      血液
Ｆ１    指
【図１】
2020123451.tif 000003
【図２】
2020123451.tif 000004
【図３】
2020123451.tif 000005
【図４】
2020123451.tif 000006
【図５】
2020123451.tif 000007
【図６】
2020123451.tif 000008
【図７】
2020123451.tif 000009
【図８】
2020123451.tif 000010